(57)【要約】【課題】押圧操作される操作体の移動をスムーズにすることができる押釦スイッチ装置の提供。【解決手段】押釦１とともに押圧操作されてスイッチ素子１３を操作する操作体７と、操作体７が挿入され操作体７を直動可能に支持する支持体３とを備える。支持体３の内側面には、操作体７の直動方向に沿って延びるガイド溝５を形成してあり、操作体７の外側面には、ガイド溝５に対して直動方向へ摺動可能に挿入されるガイド突起９を、直動方向に沿って断続的に複数、例えば２つ形成してある。これにより、ガイド突起９を金型で成型した場合に、ガイド突起９の歪みが小さくなるようにした。【選択図】図３
2006156291.tif 000002
【特許請求の範囲】
【請求項１】
押圧操作される操作体と、前記操作体が挿入され前記操作体を直動可能に支持する支持体と、前記操作体の押圧操作に連動して作動するスイッチ素子と、前記操作体の側面およびこの側面に対向する支持体の内側面のいずれか一方に設けられ、前記操作体の直動方向に沿って延びるガイド溝と、他方に設けられ前記ガイド溝に対して前記直動方向へ摺動可能に挿入されるガイド突起とを備えた押釦スイッチ装置であって、
前記ガイド突起を、前記直動方向に沿って断続的に複数設けたことを特徴とする押釦スイッチ装置。
【請求項２】
請求項１記載の発明において、
前記ガイド突起の間に形成された凹部に、潤滑剤を充填したことを特徴とする押釦スイッチ装置。
【請求項３】
請求項２記載の発明において、
前記凹部の底面を、前記ガイド溝側へ突出させたことを特徴とする押釦スイッチ装置。
【発明の詳細な説明】
【技術分野】
【０００１】
本発明は、押圧操作される操作体と、この操作体が挿入されこの操作体を直動可能に支持する支持体と、操作体の押圧操作に連動して作動するスイッチ素子と、操作体の側面およびこの側面に対向する支持体の内側面のいずれか一方に設けられ、操作体の直動方向に沿って延びるガイド溝と、他方に設けられガイド溝に対して直動方向へ摺動可能に挿入されるガイド突起とを備えた押釦スイッチ装置に関する。
【背景技術】
【０００２】
押釦スイッチ装置の従来技術としては、例えば特許文献１に示されるものがある。この従来技術は、押圧操作される操作体と、この操作体が挿入されこの操作体を直動可能に支持する支持体と、操作体の押圧操作に連動して作動するスイッチ素子とを備えている。
【０００３】
操作体の側面に対向する支持体の内側面には、操作体の直動方向に沿って延びるガイド溝が形成されている。操作体の側面には、ガイド溝に対して操作体の直動方向へ摺動可能に挿入されるガイド突起が形成されている。このガイド突起は、直動方向に沿って直線状に延びている。
【特許文献１】特開２００１−１３５１８６公報
【発明の開示】
【発明が解決しようとする課題】
【０００４】
前述した従来技術では、操作体とともにガイド突起が金型で樹脂成型される。このため、直線状のガイド突起は、合成樹脂が凝固する際に歪む。歪んだガイド突起とガイド溝とによって操作体がガイドされると、操作体の移動がスムーズではないので、操作体の操作感触が悪い。
【０００５】
本発明は、前述の実状を考慮してなされたものであり、押圧操作される操作体の移動をスムーズにすることができる押釦スイッチ装置を提供することにある。
【課題を解決するための手段】
【０００６】
〔１〕  本発明は、前述の目的を達成するために、押圧操作される操作体と、前記操作体が挿入され前記操作体を直動可能に支持する支持体と、前記操作体の押圧操作に連動して作動するスイッチ素子と、前記操作体の側面およびこの側面に対向する支持体の内側面のいずれか一方に設けられ、前記操作体の直動方向に沿って延びるガイド溝と、他方に設けられ前記ガイド溝に対して前記直動方向へ摺動可能に挿入されるガイド突起とを備えた押釦スイッチ装置であって、前記ガイド突起を、前記直動方向に沿って断続的に複数設けたことを特徴とする。
【０００７】
このように構成した本発明では、ガイド突起を、操作体の直動方向に沿って断続的に複数設けてある。このため、各ガイド突起を金型で樹脂成型した場合の、各ガイド突起の歪みが小さい。この結果、ガイド突起とガイド溝とによりガイドされる操作体の移動をスムーズにすることができる。
【０００８】
〔２〕  本発明は、〔１〕記載の発明において、前記ガイド突起の間に形成された凹部に、潤滑剤を充填したことを特徴とする。
【０００９】
このように構成した本発明では、ガイド突起の間に形成された凹部と、ガイド溝とによって潤滑剤を囲むことができる。これにより、潤滑剤の流出を抑制でき、長期間に渡って良好な操作感触を維持することができる。
【００１０】
〔３〕  本発明は、〔２〕記載の発明において、前記凹部の底面を、前記ガイド溝側へ突出させたことを特徴とする。
【００１１】
このように構成した本発明では、ガイド突起の間に形成される凹部の底面とガイド溝の縁との間に形成される隙間を小さくすることができる。これにより、潤滑剤の流出をさらに抑制することができ、さらに長期間に渡って良好な操作感触を維持することができる。
【発明の効果】
【００１２】
本発明によれば、押圧操作される操作体の移動をスムーズにすることができる。これにより、操作体の操作感触を向上させることができる。
【発明を実施するための最良の形態】
【００１３】
本発明の押釦スイッチ装置の一実地形態について、図１〜４を用いて説明する。図１は、本実施形態の分解斜視図、図２は、図１に示す押釦を取除いた本実施形態の平面図、図３は、図２のIII−III断面図、図４は、図３において破線で囲んだ部分の拡大図である。
【００１４】
図１に示すように、本実施形態は、押釦１が固定され押圧操作される合成樹脂製の操作体７と、この操作体７が図１の下方から挿入され、この操作体７を図１の上下方向へ直動可能に支持する合成樹脂製の支持体３と、操作体７の押圧操作に連動して作動するスイッチ素子１３と、このスイッチ素子１３が設置され、支持体３の下端に固定される回路基板１５とを備えている。
【００１５】
支持体３は、平面視形状が例えば４角形で、その中央に、操作体７が下方から挿入される挿入孔４が形成された筒状の部材である。
【００１６】
操作体７は、平面視形状が例えば４角形で、その中央に、押釦１の下面に形成された凸部２と嵌合する嵌合孔８が形成された筒状の部材である。
【００１７】
スイッチ素子１３は、例えば、上方向へ突出し上下方向へ直動可能な操作部１４を有し、この操作部１４が押圧操作されるとオンし、操作部１４が押圧操作されなくなると、内蔵された弾性部材（図示しない）により操作部１４を押し戻して自動的にオフするように構成してある。このスイッチ素子１３は、操作部１４が操作体７の下面によって押圧操作されるように、支持体３内において操作体７の下方に配置してある。
【００１８】
図２，３に示すように、操作体７の各外側面および各外側面に対向する支持体３の各内側面のいずれか一方、例えば支持体３の各内側面には、操作体７の直動方向に沿って延びるガイド溝５を形成してあり、他方、すなわち操作体７の各外側面には、各ガイド溝５に対して直動方向へ摺動可能に挿入されるガイド突起９を形成してある。このガイド突起９は、直動方向に沿って断続的に複数、例えば２つ設けてある。
【００１９】
図３，４に示すように、２つのガイド突起９の間に形成された凹部１０には、潤滑剤、例えば粘度の高い潤滑油１２を充填してある。凹部１０の底面１１は、ガイド溝５に挿入されない程度に、ガイド溝５側に突出させてある。
【００２０】
このように構成した本実施形態は、次のように動作する。
【００２１】
操作者が押釦１を押圧すると、操作体７が下方向へ移動して、スイッチ素子１３の操作部１４を押圧操作する。これにより、スイッチ素子１３がオンする。操作者が押釦１を押圧するのをやめると、スイッチ素子１３は、内臓された弾性部材により操作部１４および操作体７を上方向へ押し戻し、オフする。
【００２２】
また、操作体７の移動中には、ガイド突起９がガイド溝５内を摺動するので、操作体７の直動が安定する。また、２つのガイド突起９の間に形成された凹部１０と、ガイド溝５の底面とによって潤滑油１２が囲まれているので、潤滑油１２の流出が抑制される。
【００２３】
本実施形態によれば、次の効果を得られる。
【００２４】
本実施形態では、ガイド突起９を、操作体７の直動方向に沿って断続的に複数設けてあるので、各ガイド突起９を金型で樹脂成型した場合の、各ガイド突起９の歪みが小さい。これにより、ガイド突起９とガイド溝５とによりガイドされる操作体の移動をスムーズにすることができる。この結果、操作体７の操作感触の向上させることができる。
【００２５】
また、本実施形態では、直動方向に並ぶ２つのガイド突起９の間に形成された凹部１０と、ガイド溝５とによって潤滑油１２を囲むことができる。これにより、潤滑油１２の流出を抑制でき、長期間に渡って良好な操作感触を維持することができる。
【００２６】
また、本実施形態では、凹部１０の底面１１をガイド溝５側へ突出させたので、凹部１０の底面１１とガイド溝５の縁６との間に形成される隙間を小さくすることができる。これにより、潤滑油１２の流出をさらに抑制することができ、さらに長期間に渡って良好な操作感触を維持することができる。
【００２７】
なお、本実施形態では、支持体３の内側面にガイド溝５を形成し、操作体７の外側面にガイド突起９を形成した例であるが、本発明はこれに限るものではなく、支持体３の内側面にガイド突起を形成し、操作体７の外側面にガイド溝を形成してもよい。
【００２８】
また、本実施形態では、支持体３の４つの内側面のすべてにガイド溝５を形成し、操作体７の４つの外側面のすべてにガイド突起９を形成した例であるが、本発明はこれに限るものではなく、支持体３の４つの内側面のうちのいずれかにガイド溝５を形成し、その内側面に対向する操作体７の外側面にガイド突起９を形成してもよい。
【００２９】
また、本実施形態では、支持体３の挿入孔４および操作体７の平面視形状を４角形にした例であるが、本発明はこれに限るものではなく、４角形以外の多角形や円形などの他の形状にしてもよい。
【００３０】
また、本実施形態では、ガイド突起９の側面視形状を４角形にした例であるが、本発明はこれに限るものではなく、４角形以外の多角形や円形などの他の形状にしてもよい。
【図面の簡単な説明】
【００３１】
【図１】本発明の押釦スイッチ装置の一実施形態の分解斜視図である。
【図２】図２は、図１に示す押釦を取除いた本実施形態の平面図である。
【図３】図２のIII−III断面図である。
【図４】図３において破線で囲んだ部分の拡大図である。
【符号の説明】
【００３２】
１    押釦
２    凸部
３    支持体
４    挿入孔
５    ガイド溝
６    縁
７    操作体
８    嵌合孔
９    ガイド突起
１０  凹部
１１  底面
１２  潤滑油
１３  スイッチ素子
１４  操作部
１５  回路基板
【図１】
2006156291.tif 000003
【図２】
2006156291.tif 000004
【図３】
2006156291.tif 000005
【図４】
2006156291.tif 000006